(57)【要約】【課題】陳列室の奥行を確保しつつ着脱可能な中間ダクトの上方及び下方で異なる温度帯の陳列室を実現する。【解決手段】ショーケース１００は、蒸発器６３０を通過した冷気を背面ダクト６２０、天面ダクト６００、陳列棚３００の前方、底面ダクト７００及び背面ダクト６２０と循環させて冷気のエアカーテンＡＣを形成する第１風路と、蒸発器６３０を通過しない空気を同じ経路を循環させて空気のエアカーテンＡＣを形成する第２風路と、着脱可能な中間ダクト４００を介して第１風路の途中から冷気を前方に通風し、その下方に冷気のエアカーテンＡＣを形成する第３風路と、を有している。また、背面ダクト６２０において第１風路及び第２風路が左右方向に配置され、中間ダクト４００により第３風路が形成されて第１風路が遮断されると、その下方を第３風路の冷気による第１温度帯に仕切り、その上方を第２風路の空気による第２温度帯に仕切る。【選択図】図３
2020133912.tif 000002
【特許請求の範囲】
【請求項１】
冷凍サイクルの蒸発器を通過した冷気を背面部、天面部、前面部、底面部及び前記背面部と順次循環させて、陳列棚の前方に冷気のエアカーテンを形成する第１風路と、
前記冷凍サイクルの蒸発器を通過しない空気を前記背面部、前記天面部、前記前面部、前記底面部及び前記背面部と順次循環させて、前記陳列棚の前方に空気のエアカーテンを形成する第２風路と、
着脱可能な中間ダクトを介して前記第１風路の途中から冷気を前記前面部に通風し、前記中間ダクトの下方に位置する前記陳列棚の前方に冷気のエアカーテンを形成する第３風路と、
を有し、
前記背面部において前記第１風路及び前記第２風路が左右方向に配置され、
前記中間ダクトの取り付けにより前記第３風路が形成されて前記第１風路が遮断されたとき、前記中間ダクトの下方を前記第３風路の冷気による第１温度帯に仕切り、前記中間ダクトの上方を前記第２風路の空気による第２温度帯に仕切る、
ショーケース。
【請求項２】
前記第１風路、前記第２風路及び前記第３風路を通過する冷気又は空気の流量を独立して制御する流量制御機構が設けられている、
請求項１に記載のショーケース。
【請求項３】
前記流量制御機構は、複数のファンからなる、
請求項２に記載のショーケース。
【請求項４】
前記背面部及び前記天面部にヒータが設けられている、
請求項１〜請求項３のいずれか１つに記載のショーケース。
【請求項５】
前記背面部の前記ヒータは、前記中間ダクトの取付位置の上方及び下方にそれぞれ配置されている、
請求項４に記載のショーケース。
【請求項６】
前記中間ダクトが取り付けられたとき、前記中間ダクトを介して前記前面部における前記第２風路の途中から空気を前記背面部に通風し、前記背面部の前記第２風路に合流させる第４風路を更に有する、
請求項１〜請求項５のいずれか１つに記載のショーケース。   
【発明の詳細な説明】
【技術分野】
【０００１】
本発明は、中間ダクトを取り付けると、その上方及び下方で異なる温度帯の陳列室を提供し、中間ダクトを取り外すと、全体で一様な温度帯の陳列室を提供するショーケースに関する。
【背景技術】
【０００２】
着脱可能な中間ダクトの上方及び下方で異なる温度帯の陳列室を実現するショーケースとして、特開２００７−１８７３９１号公報（特許文献１）に記載されるように、蒸発器（冷却器）を通過した冷気を上方に導く第１風路と、冷却器を通過しない空気を上方に導く第２風路と、を背面部において奥行方向に配置したものが提案されている。
【先行技術文献】
【特許文献】
【０００３】
【特許文献１】特開２００７−１８７３９１号公報
【発明の概要】
【発明が解決しようとする課題】
【０００４】
しかしながら、背面部に第１風路及び第２風路を奥行方向に配置すると、背面部の厚さが大きくなって、商品を陳列する陳列室の奥行が狭くなってしまう。陳列室の奥行が狭くなると、陳列室に陳列可能な商品の個数が少なくなり、例えば、陳列室に商品を補充する頻度が高くなって手間などが増加してしまう。
【０００５】
そこで、本発明は、陳列室の奥行を確保しつつ、着脱可能な中間ダクトの上方及び下方で異なる温度帯の陳列室を実現可能なショーケースを提供することを目的とする。
【課題を解決するための手段】
【０００６】
ショーケースは、冷凍サイクルの蒸発器を通過した冷気を背面部、天面部、前面部、底面部及び背面部と順次循環させて、陳列棚の前方に冷気のエアカーテンを形成する第１風路と、冷凍サイクルの蒸発器を通過しない空気を背面部、天面部、前面部、底面部及び背面部と順次循環させて、陳列棚の前方に空気のエアカーテンを形成する第２風路と、着脱可能な中間ダクトを介して第１風路の途中から冷気を前面部に通風し、中間ダクトの下方に位置する陳列棚の前方に冷気のエアカーテンを形成する第３風路と、を有している。また、背面部において、第１風路及び第２風路が左右方向に配置されている。そして、中間ダクトの取り付けにより第３風路が形成されて第１風路が遮断されたとき、中間ダクトの下方を第３風路の冷気による第１温度帯に仕切り、中間ダクトの上方を第２風路の空気による第２温度帯に仕切る。
【発明の効果】
【０００７】
本発明によれば、背面部において第１風路及び第２風路が左右方向に配置されるため、陳列室の奥行を確保しつつ、着脱可能な中間ダクトの上方及び下方で異なる温度帯の陳列室を実現することができる。
【図面の簡単な説明】
【０００８】
【図１】ショーケースの一例を示す正面図である。
【図２】ショーケースの一例を示す側面図である。
【図３】ショーケースの一例を示す縦断面図である。
【図４】ショーケースの背面ダクト内の機器配置を示す縦断面図である。
【図５】ショーケースの底面ダクト内の機器配置を示す縦断面図である。
【図６】ショーケースの底面ダクト内の機器配置を示す拡大縦断面図である。
【図７】中間ダクトの一例を示す縦断面図である。
【発明を実施するための形態】
【０００９】
以下、添付された図面を参照し、本発明を実施するための実施形態について詳述する。
図１及び図２は、商品を陳列するショーケース１００の一例を示している。
【００１０】
ショーケース１００は、前面が開口するケース本体２００と、ケース本体２００に着脱可能に取り付けられる複数の陳列棚３００と、ケース本体２００に着脱可能に取り付けられる中間ダクト４００と、冷凍サイクルを構成する圧縮機及び凝縮器を収容する機械室５００と、を備えている。なお、図示のショーケース１００では、ケース本体２００に５つの陳列棚３００が取り付けられているが、その個数は任意とすることができる。
【００１１】
ケース本体２００は、図３に示すように、前面が開口するコ字形状の断面を有する断熱材２２０と、断熱材２２０の内面から離間して配置されるインナパネル２４０と、断熱材２２０の外面に配置されるアウタパネル２６０と、左右の側壁を形成する左右一対のサイドパネル２８０と、を含んで構成されている。ここで、「コ字形状」とは、３つの板材が直角に接合された形状に限らず、一見してコ字形状であると認識できる程度であってもよい（以下、形状については同様）。
【００１２】
断熱材２２０は、板面が水平面上に延びる矩形形状の天板部２２２と、天板部２２２の背面側端部から下方へと板面が鉛直面上に延びる矩形形状の背板部２２４と、背板部２２４の下端部から前面へと板面が水平面上に延びる矩形形状の底板部２２６と、底板部２２６の前面側端部から上方へと板面が鉛直面上に延びる矩形形状の前板部２２８と、を含んで構成されている。ここで、「水平面」及び「鉛直面」とは、重力によって定義される厳密な水平面及び鉛直面に限らず、ショーケース１００を設置したとき、その左右方向及び奥行方向で定義される水平面、およびその水平面に垂直な鉛直面であってもよい。また、断熱材２２０は、天板部２２２、背板部２２４、底板部２２６及び前板部２２８の左右両端部に接合される側板部（図示せず）を有していてもよく、この場合には、インナパネル２４０及びアウタパネル２６０は、断熱材２２０の側板部の内面及び外面にも配置されることとなる。
【００１３】
インナパネル２４０は、金属板又は樹脂板などからなり、天板部２４２、背板部２４４及び底板部２４６を含んで構成されている。
天板部２４２は、背面側から前面側に向かって板面が斜め上方に延びる矩形形状の板材であって、その前面側端部が上方に向かって折り曲げられて断熱材２２０の天板部２２２の前面側端部を覆っている。また、天板部２４２の前面側端部の下面には、エアカーテンＡＣを形成する空気又は冷気を下方に向けて噴出する複数のスリットが左右方向に列設された噴出口２４２Ａが形成されている。
【００１４】
背板部２４４は、天板部２４２の背面側端部から下方へと板面が鉛直面上に延びる矩形形状の板材であって、その板面の所定箇所に中間ダクト４００を挿入するための矩形形状の第１挿入口２４４Ａ及び第２挿入口２４４Ｂが形成されていると共に、その板面の左右端部に陳列棚３００を取り付けるための取付孔２４４Ｃが上下方向に列設されている。ここで、図示のショーケース１００では、第１挿入口２４４Ａが上から３段目の陳列棚３００の下方に形成され、第２挿入口２４４Ｂが上から４段目の陳列棚３００の上方に形成されているが、その形成位置及び個数は任意とすることができる。また、第１挿入口２４４Ａの下方に位置する背板部２４４の板面には、空気又は冷気を陳列室に噴出させるための複数のスリット２４４Ｄが形成されている。背板部２４４の第１挿入口２４４Ａ及び第２挿入口２４４Ｂには、これを使用しないときに閉塞すべく、その上方で左右方向に延びる回転軸を中心として回動する矩形形状の板材と、この板材を閉じる方向に付勢するばね部材と、が付設されていてもよい。なお、第１挿入口２４４Ａ及び第２挿入口２４４Ｂには、板材及びばね部材に代えて、シャッターが付設されていてもよい。
【００１５】
底板部２４６は、背板部２４４の下端部から前面側へと板面が水平面上に延びる矩形形状の板材であって、その上面が商品を陳列するための最下段の陳列棚を形成する。また、底板部２４６の前面側端部の上面には、エアカーテンＡＣを形成する空気又は冷気を吸い込む複数のスリットが左右方向に列設された吸込口２４６Ａが形成されている。なお、インナパネル２４０の天板部２４２、背板部２４４及び底板部２４６は、例えば、矩形形状の板材を折り曲げ加工することで、一体的に形成されていてもよい。
【００１６】
アウタパネル２６０は、金属板又は樹脂板などからなり、天板部２６２、背板部２６４及び前板部２６６を含んで構成されている。
天板部２６２は、断熱材２２０の天板部２２２の上面を覆うように配置される矩形形状の板材であって、その前面側端部が下方に折り曲げられてインナパネル２４０の天板部２４２に接合されている。背板部２６４は、天板部２６２の背面側端部から下方へと板面が鉛直面上に延びる矩形形状の板材であって、断熱材２２０の背板部２２４の背面から所定間隔を隔てた状態で配置されている。なお、背板部２６４は、断熱材２２０の背板部２２４の背面に接触するように配置することもできる。アウタパネル２６０の天板部２６２及び背板部２６４は、例えば、矩形形状の板材を折り曲げ加工することで、一体的に形成されていてもよい。前板部２６６は、天板部２６２及び背板部２６４とは別体の矩形形状の板材であって、断熱材２２０の前板部２２８の前面を覆うように配置されている。
【００１７】
サイドパネル２８０は、インナパネル２４０及びアウタパネル２６０の左右端部に接合される矩形形状の板材であって、ケース本体２００の左右の側壁を形成する。なお、サイドパネル２８０は、これに断熱性能を付与すべく、２枚の板材の間に断熱部材を介在させるようにしてもよい。
【００１８】
断熱材２２０の天板部２２２、インナパネル２４０の天板部２４２及びサイドパネル２８０により区画される領域は、インナパネル２４０の天板部２４２の下面に形成された噴出口２４２Ａと連通し、空気又は冷気が通過する天面ダクト６００として機能する。そして、天面ダクト６００を望む断熱材２２０の天板部２２２の下面には、電気式のヒータ６１０が取り付けられている。ここで、天面ダクト６００が、空気又は冷気を循環させる天面部の一例として挙げられる。
【００１９】
断熱材２２０の背板部２２４、インナパネル２４０の背板部２４４及びサイドパネル２８０により区画される領域は、天面ダクト６００の背面側と連通し、空気又は冷気が流通する背面ダクト６２０として機能する。ここで、背面ダクト６２０が、空気又は冷気を循環させる背面部の一例として挙げられる。背面ダクト６２０の下部であって左右方向の中央、具体的には、第２挿入口２４４Ｂより下方の部位には、図４に示すように、冷凍サイクルを構成する蒸発器６３０及び膨張弁（図示せず）が配設されている。蒸発器６３０の上方に位置する背面ダクト６２０には、蒸発器６３０の幅と略同じ間隔をもって、蒸発器６３０の上面から第１挿入口２４４Ａの上方まで平行に延びる、左右一対の区画板６４０が配設されている。区画板６４０は、矩形形状の板材からなり、その短辺の両端部が断熱材２２０の背板部２２４及びインナパネル２４０の背板部２４４に夫々接合されている。また、左右一対の区画板６４０の上端部に矩形形状の架設板６５０が架設され、その上面に冷気を下方から上方へと強制的に流通させる、電動式の４つのファン６６０が取り付けられている。なお、ファン６６０の個数は、４つに限らず、任意の個数とすることができる。
【００２０】
ファン６６０より上方の背面ダクト６２０を望む断熱材２２０の背板部２２４の前面には、電気式のヒータ６７０が取り付けられている。また、蒸発器６３０の前面には、電気式のヒータ６８０が取り付けられている。さらに、断熱材２２０の背板部２２４、インナパネル２４０の背板部２２４、サイドパネル２８０及び右側に位置する区画板６４０により区画される領域であって架設板６５０と同じ高さの部位には、上記領域に空気が流通することを抑制する、矩形形状の閉塞板６９０が取り付けられている。従って、左右一対の区画板６４０が配設されている箇所の背面ダクト６２０は、蒸発器６３０を通過した冷気が流通する第１ダクトＡと、蒸発器６３０を通過しない空気が流通する第２ダクトＢと、に二分割されている。ここで、第１ダクトＡ及び第２ダクトＢが、夫々、第１風路及び第２風路の一部を形成する。
【００２１】
断熱材２２０の背板部２２４、底板部２２６及び前板部２２８、インナパネル２４０の底板部２４６並びにサイドパネル２８０により区画される領域は、背面ダクト６２０の下端側と連通し、空気又は冷気が流通する底面ダクト７００として機能する。ここで、底面ダクト７００が、空気又は冷気を循環させる底面部の一例として挙げられる。底面ダクト７００を望む断熱材２２０の底板部２２６の上面には、図４〜図６に示すように、前面側から背面側へと板面が斜め上方に延びて底面ダクト７００を前面側と背面側とに二分割する、矩形形状の上板を有するファンダクト７１０が取り付けられている。ファンダクト７１０の上面には、インナパネル２４０の吸込口２４６Ａから吸い込んだ空気又は冷気を上方から下方へと強制的に流通させる、電動式の４つのファン７２０が取り付けられている。なお、ファンダクト７１０の上面に取り付けられるファン７２０は、４つに限らず、任意の個数とすることができる。ここで、背面ダクト６２０に配設されたファン６６０及び底面ダクト７００に配設されたファン７２０が、第１風路、第２風路及び第３風路を通過する冷気又は空気の流量を独立して制御する流量制御機構の一例として挙げられる。
【００２２】
また、ファンダクト７１０の上面には、図５及び図６に示すように、最も左側に位置するファン７２０により送風される空気又は冷気を蒸発器６３０の左側へと導いて、背面ダクト６２０の第２ダクトＢへと導入する導入板７３０が取り付けられている。以下の説明においては、最も左側に位置するファン７２０を「サイドファン７２０」と称し、他のファン７２０を「ファン７２０」と称することとする。
【００２３】
従って、ファン６６０及びファン７２０を作動させると、インナパネル２４０の吸込口２４６Ａから吸い込まれた空気又は冷気が蒸発器６３０を通過して冷気となり、この冷気が背面ダクト６２０の第１ダクトＡを通って天面ダクト６００へと導入され、その前面側端部の噴出口２４２Ａから下方に向かって噴出される。このため、冷凍サイクルの蒸発器６３０を通過した冷気を背面ダクト６２０、天面ダクト６００、陳列棚３００の前方（前面部）、底面ダクト７００及び背面ダクト６２０と順次循環させて、陳列棚３００の前方に冷気のエアカーテンＡＣを形成する第１風路を形成することができる。
【００２４】
また、ファン６６０及びサイドファン７２０を作動させると、インナパネル２４０の吸込口２４６Ａから吸い込まれた空気又は冷気が蒸発器６３０をバイパスし、背面ダクト６２０の第２ダクトＢを通って天面ダクト６００へと導入され、その前面側端部の噴出口２４２Ａから下方に向かって噴出される。このため、冷凍サイクルの蒸発器６３０を通過しない空気を背面ダクト６２０、天面ダクト６００、陳列棚３００の前方、底面ダクト７００及び背面ダクト６２０と順次循環させて、陳列棚３００の前方に空気のエアカーテンＡＣを形成する第２風路を形成することができる。
【００２５】
陳列棚３００は、金属板又は樹脂板などからなり、商品を載置する上面を有する矩形形状の棚板部３２０と、棚板部３２０の左右方向の両端部に取り付けられた直角三角形状の左右一対の取付板部３４０と、を含んで構成されている。取付板部３４０の基端部には、ケース本体２００の取付孔２４４Ｃに係止して固定するための２つの係止爪（図示せず）が形成されている。従って、陳列棚３００は、ケース本体２００の取付孔２４４Ｃを変えることで、その取付位置を任意に変更することができる。
【００２６】
中間ダクト４００は、図７に示すように、金属板又は樹脂板からなる直方体形状のケーシング４２０と、ケーシング４２０の上下方向の中央部に配置される矩形形状の断熱材４４０と、を含んで構成されている。ケーシング４２０の上面の先端部（前面側に位置する端部）及び基端部（背面側に位置する端部）には、その上方から空気又は冷気を吸い込む吸込口４２０Ａと、その上方に向けて空気又は冷気を噴出する噴出口４２０Ｂと、が夫々形成されている。また、ケーシング４２０の下面の先端部及び基端部には、その下方に向けて冷気を噴出する噴出口４２０Ｃと、その下方から冷気を吸い込む吸込口４２０Ｄと、が夫々形成されている。ケーシング４２０の先端部から基端部までの長さは、図２及び図３に示すように、ケース本体２００に中間ダクト４００を取り付けたとき、その先端部が陳列棚３００よりも前方まで突出する寸法とする。即ち、中間ダクト４００は、ケース本体２００に取り付けられたとき、陳列棚３００の前方に形成されたエアカーテンＡＣを遮断する大きさに形成されている。
【００２７】
従って、中間ダクト４００の内部は、エアカーテンＡＣを遮断して、ケーシング４２０の先端部上面から空気又は冷気を吸い込んで基端部へと通風して基端部上面から上方へと噴出する上部ダクトＡＡと、ケーシング４２０の基端部下面から冷気を吸い込んで先端部へと通風して先端部下面から下方へと噴出する下部ダクトＢＢと、に二分割される。さらに、ケーシング４２０の基端部には、中間ダクト４００をケース本体２００の第１挿入口２４４Ａ又は第２挿入口２４４Ｂに挿入したとき、断熱材２２０の背板部２２４の内面と接触して機密性を確保する、例えば、ラバーなどからなる弾性部材４６０が取り付けられている。
【００２８】
機械室５００は、ケース本体２００の下面に接合される箱型形状のケーシングであって、その下面に高さ調整機能を備えた脚部５２０が取り付けられている。機械室５００の前面及び背面には、図１及び図４に示すように、機械室５００の内部に外気を流通させるための複数のスリット５４０が列設されている。そして、機械室５００の内部には、冷凍サイクルを構成する電動式の圧縮機（図示せず）及び凝縮器７４０が収容されている。また、機械室５００の内部には、圧縮機及び凝縮器７４０に加え、凝縮器７４０に強制的に通風して冷凍効率を向上させるための電動式の３つのファン７５０が収容されている。なお、機械室５００に収容されるファン７５０は、３つに限らず、任意の個数とすることができる。
【００２９】
その他、ケース本体２００の上面には、マイクロコンピュータなどを内蔵した電子制御装置８００が取り付けられている。電子制御装置８００は、図示しない温度センサにより測定された外気温と陳列室内温とに応じて、ファン６６０、７２０及び７５０、サイドファン７２０、ヒータ６１０、６７０及び６８０、並びに冷凍サイクルを構成する圧縮機及び膨張弁を制御する。
【００３０】
かかるショーケース１００によれば、ケース本体２００に中間ダクト４００を取り付けていない状態で、背面ダクト６２０のファン６６０及び底面ダクト７００のファン及びサイドファン７２０を適宜作動させると、天面ダクト６００において第１風路の冷気及び第２風路の空気が混合しつつ噴出口２４２Ａから下方に噴出される。そして、この混合気が陳列棚３００の前方にエアカーテンＡＣを形成し、吸込口２４６Ａから底面ダクト７００へと吸い込まれる。従って、第１風路及び第２風路を流通する冷気及び空気の流量を制御することで、ショーケース１００の陳列室を一様な温度帯、例えば、弁当などに適した温度帯（例えば、２０℃）とすることができる。ここで、外気温に応じてサイドファン７２０を断続的又は可変的に制御することで、冷気と空気との混合割合を変化させて、所望の温度帯とすることができる。また、外気温が弁当などに適した温度帯より低温であれば、天面ダクト６００のヒータ６１０、並びに背面ダクト６２０のヒータ６７０及び６８０を作動させることで、ショーケース１００の陳列室を所望の温度帯にすることができる。
【００３１】
ケース本体２００に中間ダクト４００を取り付けると、背面ダクト６２０の第１ダクトＡが中間ダクト４００の基端部により遮断され、その下部ダクトＢＢを介して、第１風路の途中、即ち、背面ダクト６２０における第１ダクトＡの途中から冷気が前面側に送風され、中間ダクト４００の下面の噴出口４２０Ｃから冷気が下方に向けて噴出される。そして、この冷気が中間ダクト４００の下方に位置する陳列棚３００の前方にエアカーテンＡＣを形成し、吸込口２４６Ａから底面ダクト７００へと吸い込まれる。従って、着脱可能な中間ダクト４００を介して第１風路の途中から冷気を前面側に通風し、中間ダクト４００の下方に位置する陳列棚３００の前方に冷気のエアカーテンＡＣを形成する第３風路を形成することができる。
【００３２】
また、ケース本体２００に中間ダクト４００が取り付けられると、中間ダクト４００が陳列棚３００よりも前面側へと突出しているため、噴出口２４２Ａから噴出された空気及び冷気の混合気は、吸込口４２０Ａから吸い込まれ、上部ダクトＡＡを介して背面ダクト６２０の第１ダクトＡへと通風される。第１ダクトＡへと通風された混合気は、背面ダクト６２０のファン６６０によりその上方へと強制的に流通されて天面ダクト６００へと導入される。そして、天面ダクト６００へと導入された混合気は、噴出口２４２Ａから下方へと噴出され、中間ダクト４００の上方に位置する陳列棚３００の前方にエアカーテンＡＣを形成する。従って、中間ダクト４００が取り付けられたとき、中間ダクト４００を介して前面部における第２風路の途中から空気を背面ダクト６２０に通風し、背面ダクト６２０の第２風路に合流させる第４風路を形成することができる。このような第４風路が形成されると、中間ダクト４００の上方に位置する陳列室の空気が循環するので、特に、外気温が低いときのヒータ消費電力を削減することができる。
【００３３】
よって、中間ダクト４００の取り付けにより第３風路が形成されて第１風路が遮断されたとき、中間ダクト４００の下方に位置する陳列室を第３風路の冷気による第１温度帯に仕切り、中間ダクト４００の上方に位置する陳列室を第２風路の空気による第２温度帯に仕切ることができる。このとき、第１温度帯としては、蒸発器６３０を通過した冷気で温度が決まるため、飲料などに適したチルド温度（例えば、５℃）とし、第２温度帯としては、蒸発器６３０を通過しない空気で温度が決まるため、弁当などに適した弁当温度（例えば、２０℃）とすることができる。
【００３４】
また、ケース本体２００に中間ダクト４００を取り付けていない状態では、陳列室の全体に一様なエアカーテンＡＣが形成され、ケース本体２００に中間ダクト４００を取り付けた状態では、中間ダクト４００の上方及び下方に位置する陳列室に独立したエアカーテンＡＣが形成される。従って、中間ダクト４００の有無にかかわらず、陳列室の前方には、陳列室の商品に適した温度のエアカーテンＡＣが常に形成されることから、陳列室の温度管理が十分となり、そこに陳列されている商品を所望の温度に維持することができる。
【００３５】
ここで、電子制御装置８００が実行する、天面ダクト６００のヒータ６１０、背面ダクト６２０のファン６６０、ヒータ６７０及び６８０、並びに底面ダクト７００のファン及びサイドファン７２０などの制御について説明する。なお、電子制御装置８００には、中間ダクト４００の有無を設定する、例えば、トグルスイッチからの信号が入力されているものとする。トグルスイッチの入力に代えて、中間ダクト４００の有無を自動的に検出するセンサ、スイッチを使用してもよい。
【００３６】
ケース本体２００に中間ダクト４００が取り付けられている場合、中間ダクト４００の下方に位置する陳列室を第１温度帯に仕切り、中間ダクト４００の上方に位置する陳列室を第２温度帯に仕切ることを考える。この場合、外気温が第２温度帯より高ければ、電子制御装置８００は、背面ダクト６２０のファン６６０及び底面ダクト７００のファン７２０を連続運転させると共に、底面ダクト７００のサイドファン７２０を外気温に応じて断続運転させる。また、電子制御装置８００は、冷凍サイクルの圧縮機及び膨張弁を適宜制御することで、その蒸発器６３０を通過した冷気の温度を第１温度帯に近づける（以下同様）。このようにすると、冷凍サイクルの蒸発器６３０を通過した冷気により中間ダクト４００の下方に位置する陳列室が第１温度帯に仕切られ、その陳列室の冷気と蒸発器６３０を通過しない空気とが混合して中間ダクト４００の上方に位置する陳列室が第２温度帯に仕切られる。
【００３７】
一方、外気温が第２温度帯より低ければ、電子制御装置８００は、背面ダクト６２０のファン６６０及び底面ダクト７００のファン７２０を連続運転させると共に、天面ダクト６００のヒータ６１０及び背面ダクト６２０のヒータ６７０を外気温に応じて作動させる。このようにすると、中間ダクト４００の上方に位置する陳列室に導入される空気はヒータ６１０及び６７０により加温されるので、中間ダクト４００の上方に位置する陳列室を第２温度帯とすることができる。
【００３８】
ケース本体２００に中間ダクト４００が取り付けられていない場合、ショーケース１００の陳列室の全体を一様な第２温度帯とすることを考える。この場合、外気温が第２温度帯より高ければ、電子制御装置８００は、背面ダクト６２０のファン６６０並びに底面ダクト７００のファン及びサイドファン７２０を連続運転させる。このようにすると、冷凍サイクルの蒸発器６３０を通過した冷気とこれを通過しない空気とが混合して第２温度帯に近づき、ショーケース１００の陳列室の全体を一様な第２温度帯とすることできる。
【００３９】
一方、外気温が第２温度帯より低ければ、電子制御装置８００は、背面ダクト６２０のファン６６０並びに底面ダクト７００のファン及びサイドファン７２０を連続運転させると共に、天面ダクト６００のヒータ６１０並びに背面ダクト６２０のヒータ６７０及び６８０を外気温に応じて作動させる。また、電子制御装置８００は、外気温が第２温度帯より低いことから、冷凍サイクルの蒸発器６３０で空気を冷却する必要がないので圧縮機を停止させる。このようにすると、ショーケース１００の陳列室に導入される空気がヒータ６１０、６７０及び６８０により加温されるので、ショーケース１００の陳列室の全体を一様な第２温度帯とすることできる。
【００４０】
上記の実施形態において、背面ダクト６２０の蒸発器６３０は、背面ダクト６２０の左右方向の中央に配置されているが、これを背面ダクト６２０の左右のいずれかに寄せて配置するようにしてもよい。この場合、背面ダクト６２０は、１つの区画板６４０によって、閉塞板６９０を使用せずに、第１ダクトＡと第２ダクトＢとに二分割することができる。また、底面ダクト７００の４つのファン及びサイドファン７２０は、底面ダクト７００のスペースに余裕があれば、大型の少なくとも１つのファンで代替することができ、この場合、背面ダクト６２０の第２ダクトＢに分流する空気を制御する機構、例えば、開度調整可能なダンパを設ければよい。
【００４１】
なお、当業者であれば、上記実施形態の様々な技術的思想について、その一部を省略したり、その一部を適宜組み合わせたり、その一部を置換したりすることで、新たな実施形態を生み出せることを容易に理解できるであろう。
【符号の説明】
【００４２】
１００  ショーケース
３００  陳列棚
４００  中間ダクト
６００  天面ダクト（天面部）
６１０  ヒータ
６２０  背面ダクト（背面部）
６３０  蒸発器
６６０  ファン（流量制御機構）
６７０  ヒータ
６８０  ヒータ
７００  底面ダクト（底面部）
７２０  ファン（流量制御機構）
Ａ  第１ダクト（第１風路）
Ｂ  第２ダクト（第２風路）
ＡＡ  上部ダクト（第４風路）
ＢＢ  下部ダクト（第３風路）
ＡＣ  エアカーテン
【図１】
2020133912.tif 000003
【図２】
2020133912.tif 000004
【図３】
2020133912.tif 000005
【図４】
2020133912.tif 000006
【図５】
2020133912.tif 000007
【図６】
2020133912.tif 000008
【図７】
2020133912.tif 000009